(57)【要約】【課題】内部モジュールへの熱伝導を抑制可能な構造を有するレセプタクルを提供すること。【解決手段】レセプタクル２０は、金属製の筐体８０に取付可能な金属製のシェル３０と、筐体８０内部の基板８２に搭載可能な、金属板からなるケージ４０とを備えている。ケージ４０は、プラグ７０とレセプタクル２０とが互いに嵌合した嵌合状態において、内部モジュール１２を受容する。ケージ４０は、ケージ後板４２２を有しており、且つ、ケージ４０には、金属製の端子４８と、金属製の接触部４４とが設けられている。端子４８は、ケージ後板４２２から下方に延びている。接触部４４は、前後方向（Ｘ方向）において、ケージ４０の前端４０Ｆよりもケージ後板４２２に近い位置にある。ケージ４０を基板８２に搭載し、且つ、シェル３０を筐体８０に取り付けたとき、端子４８は、基板８２に固定され、接触部４４は、シェル３０に押し付けられる。【選択図】図１８
2020170660.tif 000002
【特許請求の範囲】
【請求項１】
互いに嵌合可能なプラグとレセプタクルとを備え且つ内部モジュールが収められたコネクタ組立体におけるレセプタクルであって、
前記レセプタクルは、金属製の筐体に取付可能な金属製のシェルと、前記筐体の内部に配置された基板に搭載可能な、金属板からなるケージとを備えており、
前記ケージは、受容空間と、複数の包囲板とを有しており、
前記受容空間は、前後方向における前記ケージの前端において開口しており、且つ、前記プラグと前記レセプタクルとが互いに嵌合した嵌合状態において、前記内部モジュールを受容し、
前記包囲板は、ケージ後板と、ケージ上板と、２つのケージ側板とを含んでおり、
前記ケージ後板は、前記前後方向において前記受容空間の後方に位置しており、
前記ケージ上板は、前記前後方向と直交する上下方向において前記受容空間の上方に位置しており、
前記２つのケージ側板は、前記前後方向及び前記上下方向の双方と直交する横方向において前記受容空間の両側に夫々位置しており、
前記ケージには、金属製の端子と、金属製の接触部とが設けられており、
前記端子は、前記ケージ後板から下方に延びており、
前記接触部は、前記前後方向において、前記ケージの前記前端よりも前記ケージ後板に近い位置にあり、
前記接触部は、バネ部と、接点部とを有しており、
前記ケージを前記基板に搭載し、且つ、前記シェルを前記筐体に取り付けたとき、前記シェルは、前記ケージを覆い、前記端子は、前記基板に固定され、前記バネ部は、前記接点部を前記シェルに押し付ける
レセプタクル。
【請求項２】
請求項１記載のレセプタクルであって、
前記接触部は、前記ケージ後板および前記ケージ後板と直接的に繋がった前記包囲板のうちの少なくとも１つに設けられており、
前記ケージには、金属製の付加的接触部が設けられており、
前記付加的接触部は、前記ケージ上板及び前記ケージ側板のうちの少なくとも１つであって前記接触部が設けられていない前記包囲板に設けられており、
前記付加的接触部は、曲部と、付加的バネ部と、付加的接点部とを有しており、
前記曲部は、前記包囲板と直接的に繋がっており、
前記付加的接触部が設けられた前記包囲板は、前記曲部と前記包囲板との間の境界部の後方において前記ケージ後板から離れており、
前記付加的バネ部は、前記曲部から前方及び前記ケージの内側に向かって延びており、
前記付加的接点部は、前記付加的バネ部に支持されており、
前記付加的バネ部は、前記嵌合状態において、前記付加的接点部を前記内部モジュールに押し付ける
レセプタクル。
【請求項３】
請求項２記載のレセプタクルであって、
前記ケージには、金属製の補助接触部が設けられており、
前記補助接触部は、前記付加的接触部が設けられた前記包囲板に設けられている
レセプタクル。
【請求項４】
請求項２又は請求項３記載のレセプタクルであって、
前記ケージ上板には、前記接触部が設けられており、
前記ケージ側板には、前記付加的接触部が設けられている
レセプタクル。
【請求項５】
請求項４記載のレセプタクルであって、
前記ケージは、ベースと、カバーとを備えており、
前記ベース及び前記カバーの夫々は、曲げを有する１枚の金属板であり、
前記ベースは、ベース後板と、ベース上板と、ベース下板と、２つのベース側板とを有しており、
前記ベースは、前記ベース下板と前記ベース側板の夫々との間、前記ベース上板と前記ベース側板の夫々との間、及び、前記ベース上板と前記ベース後板との間の５か所において折り曲げられており、
前記カバーは、カバー上板を有しており、
前記ケージ後板は、前記ベース後板を含んでおり、
前記カバー上板は、前記ベース上板に取り付けられて、前記ベース上板と共に前記ケージ上板を形成しており、
前記ケージ側板は、前記ベース側板を夫々含んでおり、
前記カバー上板には、前記接触部が設けられており、
前記ベース側板には、前記付加的接触部が設けられている
レセプタクル。
【請求項６】
請求項１記載のレセプタクルであって、
前記接触部は、前記包囲板のうちの少なくとも１つに設けられており、
前記ケージには、金属製の付加的接触部が設けられており、
前記付加的接触部は、前記ケージ上板及び前記ケージ側板のうちの少なくとも１つに設けられており、
前記付加的接触部は、曲部と、付加的バネ部と、付加的接点部とを有しており、
前記曲部は、前記包囲板と直接的に繋がっており、
前記付加的バネ部は、前記曲部から後方及び前記ケージの内側に向かって延びており、
前記付加的接点部は、前記付加的バネ部に支持されており、
前記付加的バネ部は、前記嵌合状態において、前記付加的接点部を前記内部モジュールに押し付け、
前記曲部と前記包囲板との間には、境界部が形成されており、
前記ケージ後板と前記境界部との間の距離は、前記ケージ後板と前記付加的接点部との間の距離よりも長い
レセプタクル。
【請求項７】
請求項２から請求項６までのいずれかに記載のレセプタクルであって、
前記端子と前記接点部との間の前記ケージを形成する前記金属板に沿った経路距離は、前記端子と前記付加的接点部との間の前記ケージを形成する前記金属板に沿った経路距離よりも短い
レセプタクル。
【請求項８】
請求項１から請求項７までのいずれかに記載のレセプタクルであって、
前記内部モジュールは、前記プラグの内部に収められており、
前記シェルには、プラグ受容空間が形成されており、
前記プラグ受容空間は、前記嵌合状態において、前記プラグを受容する
レセプタクル。
【請求項９】
請求項１から請求項８までのいずれかに記載のレセプタクルであって、
前記内部モジュールは、光通信用モジュールである
レセプタクル。
【発明の詳細な説明】
【技術分野】
【０００１】
本発明は、内部モジュールを備えるコネクタ組立体のレセプタクルに関する。
【背景技術】
【０００２】
このタイプのレセプタクルは、例えば、特許文献１及び特許文献２に開示されている。
【０００３】
図３１を参照すると、特許文献１には、コネクタ（レセプタクル）９１と相手側コネクタ（プラグ）９２とを備えるコネクタ組立体９０が開示されている。レセプタクル９１は、金属製のレセプタクル（シェル）９１２と、金属製のケージ９１４と、ＳＦＰ（Small Form-Factor Pluggable）モジュール等の内部モジュール９１８とを備えている。シェル９１２は、金属製の筐体９４に取り付けられている。ケージ９１４は、筐体９４内部の基板９３に搭載されており、且つ、シェル９１２に接続されている。内部モジュール９１８は、ケージ９１４の内部に収められている。即ち、コネクタ組立体９０は、レセプタクル９１の内部に収められた内部モジュール９１８を備えている。この構造によれば、ケージ９１４内部に放射された熱に起因して内部モジュール９１８が破損する恐れがある。
【０００４】
図３２を参照すると、特許文献２には、レセプタクルコネクタ（レセプタクル）９６とプラグコネクタ（プラグ）９７とを備えるコネクタ装置（コネクタ組立体）９５が開示されている。レセプタクル９６は、金属製のレセプタクル（シェル）９６２と、金属製のケージ９６４とを備えている。ケージ９６４は、金属製の筐体９９内部の基板９８に搭載されている。シェル９６２は、３つの腕部９６３（図３２において１つのみ図示）を有している。シェル９６２は、腕部９６３によってケージ９６４を挟んで位置決めした後、筐体９９に取り付けられている。プラグ９７は、ＳＦＰモジュール等の内部モジュール９７８を備えている。即ち、コネクタ組立体９５は、プラグ９７の内部に収められた内部モジュール９７８を備えている。
【０００５】
特許文献２の構造によれば、内部モジュール９７８における光電変換部９７９等の電子部品は、レセプタクル９６とプラグ９７とが互いに嵌合した嵌合状態においても、ケージ９６４の外部かつ筐体９９の外部に位置する。この構造により、ケージ９６４内部に放射された熱に起因する内部モジュール９７８の破損が防止されている。
【先行技術文献】
【特許文献】
【０００６】
【特許文献１】特開２０１８−０９２０５１号公報
【特許文献２】特開２０１９−０３２４３２号公報
【発明の概要】
【発明が解決しようとする課題】
【０００７】
特許文献２のコネクタ組立体９５を製造すると、内部モジュール９７８への熱伝導が抑制された良好な製品が得られる場合がある一方、内部モジュール９７８に熱が伝わり易い製品が得られる場合がある。即ち、製品によって熱伝導特性がばらつく。
【０００８】
そこで、本発明は、内部モジュールへの熱伝導を抑制可能な構造を有するレセプタクルを提供することを目的とする。
【課題を解決するための手段】
【０００９】
本願発明者は、特許文献２のコネクタ組立体を試作して熱伝導特性がばらつく原因を調査した。その結果、部品のサイズのばらつきやレセプタクルを組み立てる際のシェルとケージとの間の位置関係のばらつきに起因して、組み立て後もシェルの腕部とケージとが接触し続けるレセプタクル（望ましいレセプタクル）と、組み立て後にはシェルの腕部とケージとが殆ど接触しないレセプタクルとが製造されることが分かった。加えて、望ましいレセプタクルにより、内部モジュールへの熱伝導が抑制されることが分かった。また、望ましいレセプタクルによれば、特許文献１のように内部モジュールをレセプタクルの内部に収めた場合でも、内部モジュールへの熱伝導をある程度抑制できることが分かった。
【００１０】
本発明は、以上の知見に基づき、シェルとケージとが確実に接触するレセプタクルを提供する。より具体的には、本発明は、以下のレセプタクルを提供する。
【００１１】
本発明は、第１のレセプタクルとして、
互いに嵌合可能なプラグとレセプタクルとを備え且つ内部モジュールが収められたコネクタ組立体におけるレセプタクルであって、
前記レセプタクルは、金属製の筐体に取付可能な金属製のシェルと、前記筐体の内部に配置された基板に搭載可能な、金属板からなるケージとを備えており、
前記ケージは、受容空間と、複数の包囲板とを有しており、
前記受容空間は、前後方向における前記ケージの前端において開口しており、且つ、前記プラグと前記レセプタクルとが互いに嵌合した嵌合状態において、前記内部モジュールを受容し、
前記包囲板は、ケージ後板と、ケージ上板と、２つのケージ側板とを含んでおり、
前記ケージ後板は、前記前後方向において前記受容空間の後方に位置しており、
前記ケージ上板は、前記前後方向と直交する上下方向において前記受容空間の上方に位置しており、
前記２つのケージ側板は、前記前後方向及び前記上下方向の双方と直交する横方向において前記受容空間の両側に夫々位置しており、
前記ケージには、金属製の端子と、金属製の接触部とが設けられており、
前記端子は、前記ケージ後板から下方に延びており、
前記接触部は、前記前後方向において、前記ケージの前記前端よりも前記ケージ後板に近い位置にあり、
前記接触部は、バネ部と、接点部とを有しており、
前記ケージを前記基板に搭載し、且つ、前記シェルを前記筐体に取り付けたとき、前記シェルは、前記ケージを覆い、前記端子は、前記基板に固定され、前記バネ部は、前記接点部を前記シェルに押し付ける
レセプタクルを提供する。
【００１２】
また、本発明は、第２のレセプタクルとして、第１のレセプタクルであって、
前記接触部は、前記ケージ後板および前記ケージ後板と直接的に繋がった前記包囲板のうちの少なくとも１つに設けられており、
前記ケージには、金属製の付加的接触部が設けられており、
前記付加的接触部は、前記ケージ上板及び前記ケージ側板のうちの少なくとも１つであって前記接触部が設けられていない前記包囲板に設けられており、
前記付加的接触部は、曲部と、付加的バネ部と、付加的接点部とを有しており、
前記曲部は、前記包囲板と直接的に繋がっており、
前記付加的接触部が設けられた前記包囲板は、前記曲部と前記包囲板との間の境界部の後方において前記ケージ後板から離れており、
前記付加的バネ部は、前記曲部から前方及び前記ケージの内側に向かって延びており、
前記付加的接点部は、前記付加的バネ部に支持されており、
前記付加的バネ部は、前記嵌合状態において、前記付加的接点部を前記内部モジュールに押し付ける
レセプタクルを提供する。
【００１３】
また、本発明は、第３のレセプタクルとして、第２のレセプタクルであって、
前記ケージには、金属製の補助接触部が設けられており、
前記補助接触部は、前記付加的接触部が設けられた前記包囲板に設けられている
レセプタクルを提供する。
【００１４】
また、本発明は、第４のレセプタクルとして、第２又は第３のレセプタクルであって、
前記ケージ上板には、前記接触部が設けられており、
前記ケージ側板には、前記付加的接触部が設けられている
レセプタクルを提供する。
【００１５】
また、本発明は、第５のレセプタクルとして、第４のレセプタクルであって、
前記ケージは、ベースと、カバーとを備えており、
前記ベース及び前記カバーの夫々は、曲げを有する１枚の金属板であり、
前記ベースは、ベース後板と、ベース上板と、ベース下板と、２つのベース側板とを有しており、
前記ベースは、前記ベース下板と前記ベース側板の夫々との間、前記ベース上板と前記ベース側板の夫々との間、及び、前記ベース上板と前記ベース後板との間の５か所において折り曲げられており、
前記カバーは、カバー上板を有しており、
前記ケージ後板は、前記ベース後板を含んでおり、
前記カバー上板は、前記ベース上板に取り付けられて、前記ベース上板と共に前記ケージ上板を形成しており、
前記ケージ側板は、前記ベース側板を夫々含んでおり、
前記カバー上板には、前記接触部が設けられており、
前記ベース側板には、前記付加的接触部が設けられている
レセプタクルを提供する。
【００１６】
また、本発明は、第６のレセプタクルとして、第１のレセプタクルであって、
前記接触部は、前記包囲板のうちの少なくとも１つに設けられており、
前記ケージには、金属製の付加的接触部が設けられており、
前記付加的接触部は、前記ケージ上板及び前記ケージ側板のうちの少なくとも１つに設けられており、
前記付加的接触部は、曲部と、付加的バネ部と、付加的接点部とを有しており、
前記曲部は、前記包囲板と直接的に繋がっており、
前記付加的バネ部は、前記曲部から後方及び前記ケージの内側に向かって延びており、
前記付加的接点部は、前記付加的バネ部に支持されており、
前記付加的バネ部は、前記嵌合状態において、前記付加的接点部を前記内部モジュールに押し付け、
前記曲部と前記包囲板との間には、境界部が形成されており、
前記ケージ後板と前記境界部との間の距離は、前記ケージ後板と前記付加的接点部との間の距離よりも長い
レセプタクルを提供する。
【００１７】
また、本発明は、第７のレセプタクルとして、第２から第６までのいずれかのレセプタクルであって、
前記端子と前記接点部との間の前記ケージを形成する前記金属板に沿った経路距離は、前記端子と前記付加的接点部との間の前記ケージを形成する前記金属板に沿った経路距離よりも短い
レセプタクルを提供する。
【００１８】
また、本発明は、第８のレセプタクルとして、第１から第７までのいずれかのレセプタクルであって、
前記内部モジュールは、前記プラグの内部に収められており、
前記シェルには、プラグ受容空間が形成されており、
前記プラグ受容空間は、前記嵌合状態において、前記プラグを受容する
レセプタクルを提供する。
【００１９】
また、本発明は、第９のレセプタクルとして、第１から第８までのいずれかのレセプタクルであって、
前記内部モジュールは、光通信用モジュールである
レセプタクルを提供する。
【発明の効果】
【００２０】
本発明によれば、基板に生じた熱は、金属製の端子と、金属板からなるケージと、金属製の接触部とを経由して、大熱容量のシェル及び筐体に伝わる。即ち、熱を基板から筐体まで効果的に伝える熱伝導経路が形成されており、これにより、内部モジュールへの熱の影響を低減できる。この構造により、内部モジュールは、プラグ及びレセプタクルのいずれに収めることもできる。
【００２１】
更に、本発明の第２のレセプタクルによれば、付加的接触部が設けられた包囲板は、曲部との間の境界の後方において、ケージ後板と繋がっていない。この構造によれば、端子が設けられたケージ後板と内部モジュールとの間の熱伝導経路が長くなる。この結果、基板から筐体に熱が伝わり易くなり、これにより筐体への放熱効果が高まる。
【図面の簡単な説明】
【００２２】
【図１】本発明の実施の形態によるコネクタ組立体を示す斜視図である。コネクタ組立体のレセプタクルは、筐体及び基板に取り付けられており、コネクタ組立体のプラグは、ケーブルに取り付けられている。
【図２】図１のコネクタ組立体を示す正面図である。レセプタクルの一部（破線で囲んだ部分）を拡大して描画している。
【図３】図２のレセプタクルをＩＩＩ−ＩＩＩ線に沿って示す断面図である。筐体の隠れたネジ孔の輪郭の一部およびレセプタクルの隠れた取付孔の輪郭の一部を破線で描画している。レセプタクルの一部（１点鎖線で囲んだ部分）を拡大して描画している。
【図４】図２のプラグをＩＶ−ＩＶ線に沿って示す断面図である。
【図５】図１のコネクタ組立体を示す斜視図である。レセプタクルとプラグとは互いに嵌合している。
【図６】図５のコネクタ組立体を図２のＶＩ−ＶＩ線に沿って示す断面図である。
【図７】図１のレセプタクルを示す分解斜視図である。
【図８】図７のレセプタクルのケージを示す斜視図である。接触部のバネ部と包囲板との間の起点部の位置を破線で描画している。
【図９】図８のケージを示す別の斜視図である。接触部のバネ部と包囲板との間の起点部の位置を破線で描画している。
【図１０】図８のケージを示す更に別の斜視図である。付加的接触部の曲部と包囲板との間の境界部の位置を破線で描画している。
【図１１】図８のケージを示す底面図である。接触部のバネ部と包囲板との間の起点部の位置を破線で描画している。嵌合状態における付加的接触部の輪郭及びプラグの内部モジュールの輪郭の一部を１点鎖線で描画している。
【図１２】図８のケージを示す正面図である。
【図１３】図１２のケージをＸＩＩＩ−ＸＩＩＩ線に沿って示す断面図である。ケージの熱伝導経路を破線で描画している。ケージの一部（１点鎖線で囲んだ部分）を拡大して描画している。
【図１４】図８のケージのベースを示す斜視図である。付加的接触部の曲部と包囲板との間の境界部の位置を破線で描画している。
【図１５】図１４のベースを示す別の斜視図である。付加的接触部の曲部と包囲板との間の境界部の位置を破線で描画している。
【図１６】図８のケージのカバーを示す斜視図である。
【図１７】図１６のカバーを示す別の斜視図である。
【図１８】図６のレセプタクルの熱伝導経路（破線の矢印参照）を示す断面図である。
【図１９】図１のコネクタ組立体の変形例を示す側面図である。コネクタ組立体のレセプタクルは、筐体及び基板に取り付けられており、コネクタ組立体のプラグは、ケーブルに取り付けられている。
【図２０】図１９のレセプタクルを示す分解斜視図である。
【図２１】図２０のレセプタクルのケージを示す斜視図である。
【図２２】図２１のケージを示す別の斜視図である。
【図２３】図２１のケージを示す底面図である。ケージの一部（破線で囲んだ部分）を拡大して描画している。
【図２４】図２１のケージを示す正面図である。被取付状態におけるシェルの張出部の位置を破線で描画している。
【図２５】図２４のケージをＸＸＶ−ＸＸＶ線に沿って示す断面図である。ケージの熱伝導経路を破線で描画している。
【図２６】図２３のケージの変形例を示す底面図である。嵌合状態における付加的接触部の輪郭及びプラグの内部モジュールの輪郭の一部を１点鎖線で描画している。
【図２７】図１のレセプタクルの変形例を示す斜視図である。レセプタクルは、筐体及び基板に取り付けられている。
【図２８】図２７のレセプタクルを示す分解斜視図である。
【図２９】図２７のレセプタクルを示す正面図である。
【図３０】図２９のレセプタクルをＸＸＸ−ＸＸＸ線に沿って示す断面図である。レセプタクルの一部（破線で囲んだ部分）を拡大して描画している。
【図３１】特許文献１のコネクタ組立体を示す断面図である。
【図３２】特許文献２のコネクタ組立体を示す断面図である。
【発明を実施するための形態】
【００２３】
図１及び図５を参照すると、本発明の実施の形態によるコネクタ組立体１０は、互いに嵌合可能なプラグ７０とレセプタクル２０とを備えている。プラグ７０は、ケーブル８８の一端に取り付けられており、ケーブル８８の他端に取り付けられた電子機器（図示せず）と電気的に接続されている。本実施の形態において、ケーブル８８は、光信号を伝送する光ファイバケーブルである。一方、レセプタクル２０は、金属製の筐体８０と基板８２とに取り付けられている。図示した筐体８０は、電子機器（図示せず）を収容する筐体の一部であり、基板８２は、筐体８０の内部に配置されている。図示した基板８２は、様々な電子部品（図示せず）が搭載された回路基板の一部である。
【００２４】
以上の説明から理解されるように、本実施の形態のコネクタ組立体１０は、ケーブル８８に接続された電子機器（図示せず）と筐体８０内部の電子機器（図示せず）との間における信号の送受信を中継するコネクタ装置である。但し、本発明は、これに限られず、様々なコネクタ装置に適用可能である。
【００２５】
プラグ７０は、前後方向（Ｘ方向）において後方（−Ｘ側）に位置するレセプタクル２０と、嵌合方向（−Ｘ方向）に沿って嵌合可能である。レセプタクル２０と嵌合したプラグ７０は、抜去方向（＋Ｘ方向）に沿ってレセプタクル２０から抜去可能である。即ち、本実施の形態における嵌合方向及び抜去方向の夫々は、Ｘ方向（前後方向）に沿った方向である。
【００２６】
図１、図４及び図６に示されるように、プラグ７０は、主部７２と、嵌合部７８とを有している。嵌合部７８は、プラグ７０の後端部（−Ｘ側の部位）であり、主部７２から後方（−Ｘ方向）に向かって突出している。プラグ７０とレセプタクル２０とが互いに嵌合した嵌合状態（図６の状態）において、嵌合部７８は、レセプタクル２０の内部に受容され、主部７２は、レセプタクル２０の外部に位置する。
【００２７】
図４及び図６に示されるように、本実施の形態のプラグ７０は、内部モジュール１２を備えている。本実施の形態において、内部モジュール１２は、光通信用モジュールである。より具体的には、本実施の形態の内部モジュール１２は、ＳＦＰ（Small Form-factor Pluggable）モジュールであり、光信号と電気信号とを相互に変換する光電変換部１２２等の電子部品を備えている。このような内部モジュール１２は、熱によって影響を受け易い。特に、光電変換部１２２は、熱に起因して正常に動作しなくなったり破損したりする恐れがある。本発明における内部モジュール１２は、光通信用モジュールに限定されず、熱によって影響を受け易い電子部品を備えるモジュールである。
【００２８】
図６を参照すると、コネクタ組立体１０には、上述した内部モジュール１２が収められている。本実施の形態において、内部モジュール１２は、プラグ７０の内部に収められている。但し、本発明は、これに限られない。後述するように、内部モジュール１２は、レセプタクルの内部に収められていてもよい。
【００２９】
図３及び図７を参照すると、本実施の形態のレセプタクル２０は、内部コネクタ２２と、金属製のシェル３０と、金属板からなるケージ４０とを備えている。
【００３０】
図３及び図６を参照すると、内部コネクタ２２は、エッジコネクタである。詳しくは、内部コネクタ２２は、レセプタクル２０の使用時に、ケージ４０の内部に収容され、且つ、Ｘ方向と直交する上下方向（Ｚ方向）における基板８２の上面（＋Ｚ側の面）に搭載され固定される。図６を参照すると、内部コネクタ２２は、嵌合状態において、プラグ７０の内部モジュール１２の電気コネクタ（図示せず）と接続され、これにより、ケーブル８８に接続された電子機器（図示せず）と筐体８０内部の電子機器（図示せず）とは、互いに電気的に接続される。
【００３１】
図３及び図７を参照すると、シェル３０は、環状部３２と、鍔部３４と、覆い部３６とを有している。環状部３２は、全体として環形状を有しており、シェル３０の前端部（＋Ｘ側の端部）に位置している。鍔部３４は、環状部３２の後方に位置している。鍔部３４は、Ｘ方向と直交する直交平面（ＹＺ平面）において矩形形状を有しており、ＹＺ平面において環状部３２から張り出している。鍔部３４のＹＺ平面における４つの角部には、４つの取付孔３４２が夫々形成されている。取付孔３４２の夫々は、鍔部３４をＸ方向に貫通している。覆い部３６は、ＹＺ平面において半円形状を有しており、鍔部３４から後方に向かって延びている。
【００３２】
図３、図６及び図７を参照すると、シェル３０には、プラグ受容空間３８が形成されている。プラグ受容空間３８は、シェル３０の内部に位置する空間であり、Ｘ方向においてシェル３０を貫通している。図６を参照すると、プラグ７０の嵌合部７８は、嵌合状態において、プラグ受容空間３８に挿入されて受容される。換言すれば、プラグ受容空間３８は、嵌合状態において、プラグ７０を受容する。
【００３３】
図３及び図７を参照すると、ケージ４０は、複数の包囲板４２を有している。図３を参照すると、ケージ４０には、包囲板４２によって囲まれた受容空間４１が形成されている。受容空間４１は、ケージ４０の内部に位置する空間であり、全体として直方体形状を有している。受容空間４１は、Ｘ方向におけるケージ４０の前端４０Ｆにおいて開口しており、包囲板４２のうちの１つによって後方から覆われている。即ち、ケージ４０は、受容空間４１と、受容空間４１が前方（＋Ｘ方向）に向かって開口するようにして受容空間４１を包囲する複数の包囲板４２とを有している。
【００３４】
図３及び図７を参照すると、ケージ４０は、複数の端子４８と、複数の補助端子４９とを有している。端子４８は、ケージ４０の後端近傍に位置しており、Ｘ方向及びＺ方向の双方と直交する横方向（Ｙ方向）に並んでいる。補助端子４９は、Ｙ方向において２列に分けられている。２列の補助端子４９は、ケージ４０のＹ方向における両側に夫々位置している。各列の補助端子４９は、Ｘ方向に並んでいる。本実施の形態において、端子４８及び補助端子４９は、互いに同じ形状を有している。但し、本発明は、これに限られない。例えば、補助端子４９は、端子４８と異なる形状を有していてもよい。端子４８の数は、１であってもよく、補助端子４９の数は、１であってもよい。また、補助端子４９は、必要に応じて設けてもよい。
【００３５】
ケージ４０は、基板８２に搭載可能であり、レセプタクル２０の使用時に、基板８２に搭載される。ケージ４０を基板８２に搭載する際、端子４８及び補助端子４９の夫々は、半田付け等によって基板８２に固定されグランドパターン（図示せず）に接続される。この結果、ケージ４０は、基板８２に接地され、且つ、基板８２とケージ４０との間に、端子４８及び補助端子４９を経由した熱伝導経路が形成される。
【００３６】
シェル３０は、筐体８０に取付可能であり、レセプタクル２０の使用時に、筐体８０に取り付けられる。詳しくは、筐体８０には、通過孔８０２と、４つのネジ孔８０８とが形成されている。通過孔８０２のＹＺ平面におけるサイズは、シェル３０の覆い部３６のＹＺ平面におけるサイズよりも大きく、シェル３０の鍔部３４のＹＺ平面におけるサイズよりも小さい。シェル３０を筐体８０に取り付ける際、鍔部３４の後面（−Ｘ側の面）に弾性体からなるＯリング８４を取り付ける。次に、覆い部３６を、前方から後方に向かって通過孔８０２に挿入し、通過孔８０２を通過させる。次に、４つの固定ネジ８６を、鍔部３４の取付孔３４２を通過させて筐体８０のネジ孔８０８に夫々ねじ込む。この結果、鍔部３４は、Ｏリング８４を押し潰しつつ、筐体８０の前面（＋Ｘ側の面）に密着する。
【００３７】
本実施の形態において、シェル３０は、固定ネジ８６を使用して筐体８０に強固に固定され、これにより、鍔部３４の後面は、筐体８０の前面と確実に面接触する。但し、シェル３０が筐体８０に取り付けられたとき、シェル３０の一部が筐体８０と接触している限り、シェル３０の筐体８０への取付方法は、本実施の形態に限られない。
【００３８】
図１を参照すると、ケージ４０を基板８２に搭載し、且つ、シェル３０を筐体８０に取り付けたとき、レセプタクル２０は、被取付状態にある。レセプタクル２０は、被取付状態において、プラグ７０と嵌合可能である。図３及び図６を参照すると、ケージ４０の受容空間４１は、被取付状態において、プラグ受容空間３８の内部に位置しており、嵌合状態において、プラグ７０の内部モジュール１２を部分的に受容する。
【００３９】
図３を参照すると、ケージ４０を基板８２に搭載し、且つ、シェル３０を筐体８０に取り付けた被取付状態において、シェル３０の鍔部３４は、筐体８０に面接触して密着している。この結果、シェル３０は、筐体８０に確実に接地されており、且つ、シェル３０と筐体８０との間に効果的な熱伝導経路が形成されている。図１から図３までを参照すると、被取付状態において、シェル３０は、ケージ４０を覆っている。詳しくは、図３を参照すると、シェル３０の覆い部３６は、ケージ４０を、前端４０Ｆから後端までに亘って、ＹＺ平面において殆ど完全に覆っている。この構造によれば、ケージ４０に生じた熱は、シェル３０の覆い部３６に放熱され易く、覆い部３６に放熱された熱は、シェル３０の鍔部３４を経由して、筐体８０に放熱され易い。
【００４０】
図２、図３及び図７を参照すると、本実施の形態の覆い部３６は、張出部３６２を有している。張出部３６２は、覆い部３６の後端に位置しており、ＹＺ平面においてプラグ受容空間３８の中心に向かって張り出している。ケージ４０を基板８２に搭載し、且つ、シェル３０を筐体８０に取り付けた被取付状態において、端子４８及び補助端子４９は、基板８２に固定され、張出部３６２は、ケージ４０の一部と接触する。この構造によれば、基板８２から端子４８及び補助端子４９を経由してケージ４０に伝わった熱は、張出部３６２を経由して筐体８０に放熱され易い。但し、本発明は、これに限られない。例えば、ケージ４０は、被取付状態において、張出部３６２以外のシェル３０の部位と接続されてもよい。即ち、張出部３６２は、必要に応じて設ければよい。
【００４１】
図３を参照すると、本実施の形態のレセプタクル２０は、上述のように形成された内部コネクタ２２、シェル３０及びケージ４０を備えている。但し、本発明は、これに限られない。例えば、レセプタクル２０は、内部コネクタ２２を必要に応じて備えていればよい。一方、レセプタクル２０は、内部コネクタ２２、シェル３０及びケージ４０に加えて、更に別の部材を備えていてもよい。また、被取付状態において、シェル３０がケージ４０を覆い、且つ、ケージ４０と接触している限り、内部コネクタ２２、シェル３０及びケージ４０の構造は、様々に変形可能である。
【００４２】
図８から図１０までを参照すると、本実施の形態において、ケージ４０の包囲板４２は、ケージ後板４２２と、ケージ上板４２４と、ケージ下板４２６と、２つのケージ側板４２８とを含んでいる。ケージ後板４２２は、Ｘ方向において受容空間４１の後方に位置しており、全体としてＹＺ平面に沿って延びている。ケージ上板４２４は、Ｚ方向において受容空間４１の上方（＋Ｚ側）に位置しており、全体として水平面（ＸＹ平面）に沿って延びている。ケージ下板４２６は、Ｚ方向において受容空間４１の下方（−Ｚ側）に位置しており、全体としてＸＹ平面に沿って延びている。２つのケージ側板４２８は、Ｙ方向において受容空間４１の両側に夫々位置している。ケージ側板４２８の夫々は、全体として所定平面（ＸＺ平面）に沿って延びている。
【００４３】
本実施の形態のケージ４０は、ベース５０と、カバー６０とを備えている。ベース５０及びカバー６０の夫々は、１枚の金属板から曲げ形成されている。換言すれば、ベース５０及びカバー６０の夫々は、曲げを有する１枚の金属板である。カバー６０は、ベース５０の外側に取り付けられている。本実施の形態において、ケージ４０の包囲板４２の夫々は、ベース５０の一部であるか、又は、ベース５０の一部とカバー６０の一部とから形成されている。但し、本発明は、これに限られない。例えば、ケージ４０は、１枚の金属板のみから曲げ形成されていてもよい。換言すれば、ケージ４０は、曲げを有する１枚の金属板であってもよい。
【００４４】
図１０を参照すると、本実施の形態のベース５０は、全体として直方体の箱形状を有しており、受容空間４１を囲んでいる。ベース５０は、下方及び前方に開口している。詳しくは、図１０、図１４及び図１５を参照すると、本実施の形態のベース５０は、ベース後板５２と、ベース上板５４と、ベース下板５６と、２つのベース側板５８とを有している。ベース後板５２は、全体としてＹＺ平面に沿って延びており、受容空間４１の後端を規定している。ベース上板５４は、全体としてＸＹ平面に沿って延びており、受容空間４１の上端を規定している。ベース下板５６は、全体としてＸＹ平面に沿って延びており、受容空間４１の下端（−Ｚ側の端）を規定している。ベース側板５８の夫々は、全体としてＸＺ平面に沿って延びており、受容空間４１のＹ方向における端を規定している。
【００４５】
ベース５０は、ベース下板５６とベース側板５８の夫々との間、ベース上板５４とベース側板５８の夫々との間、及び、ベース上板５４とベース後板５２との間の５か所において折り曲げられており、ベース上板５４においてかしめられている。
【００４６】
図１３を参照すると、上述の折り曲げ方法により、ベース後板５２とベース側板５８の夫々との間には、金属板の切れ目が形成されている。換言すれば、ベース後板５２は、ベース側板５８の夫々と直接的に繋がっていない。特に、本実施の形態によれば、ベース後板５２とベース側板５８の夫々との間には、視認可能な隙間が形成されている。但し、本発明は、これに限られない。ベース後板５２とベース側板５８の夫々との間に金属板の切れ目が形成されている限り、ベース５０は、金属板をどのように折り曲げて形成してもよい。また、ベース後板５２は、ベース側板５８の夫々の後縁（−Ｘ側の縁）と線状に接触していてもよい。
【００４７】
図１６及び図１７を参照すると、本実施の形態のカバー６０は、ベース上板５４（図１４参照）に対応するカバー上板６４と、ベース側板５８（図１４参照）に夫々対応する２つのカバー側板６８とを有している。カバー上板６４は、全体としてＸＹ平面に沿って延びている。カバー側板６８の夫々は、全体としてＸＺ平面に沿って延びている。カバー６０は、カバー上板６４とカバー側板６８の夫々との間の２か所において折り曲げられている。但し、本発明は、これに限られず、カバー６０は、金属板をどのように折り曲げて形成してもよい。また、カバー６０は、カバー上板６４のみを有していてもよい。
【００４８】
図１４及び図１５に示されるように、本実施の形態のベース５０は、３つの固定突起５９と、３つの係合突起５９２とを有している。固定突起５９の夫々は、ベース上板５４に形成されており、ベース上板５４から上方に突出している。係合突起５９２のうちの２つは、２つのベース側板５８のうちの一方に形成されており、係合突起５９２のうちの他の１つは、２つのベース側板５８のうちの他方に形成されている。係合突起５９２の夫々は、ＸＹ平面と平行な下端面が形成されるようにして、ベース側板５８からＹ方向外側に張り出している。
【００４９】
図１６及び図１７に示されるように、本実施の形態のカバー６０は、ベース５０（図１４参照）の固定突起５９（図１４参照）に夫々対応する３つの固定孔６９と、ベース５０の係合突起５９２（図１４及び図１５参照）に夫々対応する３つの係合孔６９２とを有している。固定孔６９の夫々は、カバー上板６４に形成されており、カバー上板６４をＺ方向に貫通している。係合孔６９２のうちの２つは、２つのカバー側板６８のうちの一方に形成されており、係合孔６９２のうちの他の１つは、２つのカバー側板６８のうちの他方に形成されている。係合孔６９２の夫々は、カバー側板６８をＹ方向に貫通している。
【００５０】
図８及び図９を参照すると、カバー６０は、ベース５０に上方から取り付けられている。詳しくは、ベース上板５４の固定突起５９は、カバー上板６４の固定孔６９に夫々挿入されて固定されており、これにより、カバー上板６４は、ベース上板５４に取り付けられている。ベース側板５８の係合突起５９２の夫々は、対応するカバー側板６８の係合孔６９２と係合しており、これにより、カバー側板６８の夫々は、対応するベース側板５８に取り付けられている。係合突起５９２と係合孔６９２との係合により、ベース５０からのカバー６０の抜け落ちが防止されている。本実施の形態によれば、上述の取付方法により、カバー上板６４は、ベース上板５４と確実に接触している。但し、本発明は、これに限られない。例えば、カバー上板６４は、ベース上板５４に溶接して取り付けてもよい。
【００５１】
図８から図１０までを参照すると、ケージ４０の包囲板４２は、互いに取り付けられたベース５０及びカバー６０から形成されている。本実施の形態において、ケージ後板４２２は、ベース後板５２のみから形成されており、ケージ下板４２６は、ベース下板５６のみから形成されている。一方、ケージ上板４２４は、ベース上板５４とカバー上板６４とから形成されており、ケージ側板４２８の夫々は、互いに対応するベース側板５８とカバー側板６８とから形成されている。即ち、カバー上板６４は、ベース上板５４に取り付けられて、ベース上板５４と共にケージ上板４２４を形成しており、カバー側板６８の夫々は、対応するベース側板５８に取り付けられて、対応するベース側板５８と共にケージ側板４２８を形成している。
【００５２】
本実施の形態の包囲板４２は、上述のように形成されている。但し、本発明は、これに限られない。例えば、ケージ後板４２２は、ベース後板５２とカバー６０の一部とから形成されていてもよく、ケージ下板４２６は、ベース下板５６とカバー６０の一部とから形成されていてもよい。即ち、ケージ後板４２２は、ベース後板５２を含んでいればよく、ケージ下板４２６は、ベース下板５６を含んでいればよい。また、ケージ上板４２４は、ベース上板５４を含んでいればよく、ケージ側板４２８は、ベース側板５８を夫々含んでいればよい。
【００５３】
図８及び図９に示されるように、本実施の形態のケージ４０には、６つの接触部４４が設けられている。本実施の形態において、接触部４４の夫々は、カバー上板６４の一部をカバー上板６４から切り離して折り曲げて形成されている。即ち、カバー上板６４には、金属製の６つの接触部４４が設けられている。但し、本発明は、これに限られない。例えば、ケージ上板４２４がカバー上板６４を含んでいない場合、接触部４４の夫々は、ベース上板５４に設けられていてもよい。また、接触部４４の数は、１以上であればよい。
【００５４】
本実施の形態において、接触部４４は、互いに同じ形状を有している。詳しくは、接触部４４の夫々は、起点部４４２と、バネ部４４６と、接点部４４８とを有している。起点部４４２の夫々は、接触部４４とカバー上板６４との間の境界に位置している。接触部４４の夫々において、バネ部４４６は、起点部４４２から上方及び後方に向かって延びている。接触部４４の夫々において、接点部４４８は、接触部４４の後端近傍に位置しており、バネ部４４６に支持されている。接触部４４の夫々において、バネ部４４６は、弾性変形可能であり、接点部４４８は、バネ部４４６の弾性変形に応じてＺ方向に移動可能である。本実施の形態の接触部４４は、上述の構造を有している。但し、本発明は、これに限られず、接触部４４の構造は、様々に変形可能である。例えば、接触部４４の夫々は、１つのバネ部４４６と、２つの接点部４４８とを有していてもよい。
【００５５】
図１１を参照すると、接触部４４の夫々は、Ｘ方向において、ケージ４０の前端４０Ｆよりもケージ後板４２２に近い位置にある。特に、本実施の形態において、起点部４４２の夫々は、カバー上板６４の後端部に形成されている。詳しくは、起点部４４２の夫々は、Ｘ方向において、ベース後板５２に近接している。６つの起点部４４２のＸ方向における位置は、互いに同じである。但し、接触部４４が、Ｘ方向においてケージ後板４２２の近傍に位置している限り、起点部４４２の位置は、本実施の形態に限られない。
【００５６】
図８及び図９に示されるように、本実施の形態のケージ４０には、３つの端子４８が設けられている。端子４８の夫々は、ケージ後板４２２から下方に延びている。本実施の形態において、端子４８の夫々は、ベース後板５２の一部を下方に延ばして形成されている。即ち、ベース後板５２には、金属製の３つの端子４８が設けられている。但し、本発明は、これに限られない。例えば、端子４８の夫々は、ケージ４０と別体に形成された部材であってもよい。この場合、端子４８の夫々は、ケージ４０に固定されていてもよい。
【００５７】
図１８を参照すると、筐体８０内部の電子機器（図示せず）や、基板８２に搭載された様々な電子部品（図示せず）は、電子機器の動作に伴って、熱源となって熱を生成する。熱源が生成した熱は、基板８２のグランドパターン（図示せず）に接続された端子４８及び補助端子４９を経由してケージ４０に伝わる。仮に、ケージ４０に伝わった熱がケージ４０内部の受容空間４１に放熱され続けると、プラグ７０の内部モジュール１２は、熱に起因して正常に動作しなくなったり破損したりする恐れがある。
【００５８】
一方、本実施の形態によれば、ケージ４０を基板８２に搭載した後にシェル３０を筐体８０に取り付けると、シェル３０の張出部３６２は、Ｚ方向において、ケージ上板４２４から僅かに離れて、ケージ上板４２４の真上に位置する。この配置により、接触部４４の夫々において、接点部４４８は、張出部３６２と突き当たり、バネ部４４６を弾性変形させつつ下方に移動する。換言すれば、ケージ４０を基板８２に搭載し、且つ、シェル３０を筐体８０に取り付けたとき（即ち、被取付状態において）、接触部４４の夫々において、バネ部４４６は、接点部４４８を張出部３６２（シェル３０）に押し付ける。
【００５９】
上述の構造により、基板８２に生じた熱は、金属製の端子４８と、金属板からなるケージ４０と、金属製の接触部４４とを経由して、大熱容量のシェル３０及び筐体８０に伝わる。即ち、熱を基板８２から筐体８０まで効果的に伝える熱伝導経路が形成されており、これにより、内部モジュール１２への熱の影響を低減できる。この構造により、内部モジュール１２は、プラグ７０及びレセプタクル２０のいずれに収めることもできる。
【００６０】
図６を参照すると、本実施の形態によれば、嵌合状態において、内部モジュール１２の光電変換部１２２は、ケージ４０の外部かつ筐体８０の外部に位置する。この配置により、ケージ４０内部に放射された熱に起因する光電変換部１２２の不安定な動作が更に確実に防止される。
【００６１】
図１１を参照すると、本実施の形態によれば、ケージ４０には、複数の端子４８と、端子４８に夫々対応する複数の接触対４４Ｓとが設けられている。接触対４４Ｓの夫々は、２つの接触部４４を含んでいる。接触対４４Ｓの夫々の起点部４４２のＸＹ平面における位置は、対応する端子４８のＸＹ平面における位置に近接している。この構造及び配置により、熱を基板８２から接触部４４の接点部４４８まで効果的に伝えることができる。但し、本発明は、これに限られず、端子４８の数及び配置は様々に変形可能であり、且つ、接触部４４の数及び配置は様々に変形可能である。
【００６２】
図１３を参照すると、本実施の形態によれば、ケージ上板４２４のベース上板５４とカバー上板６４とは、隙間なく互いに密着している。ベース上板５４は、ベース後板５２と直接的に繋がっており、カバー上板６４は、接触部４４と直接的に繋がっている。ベース上板５４及びカバー上板６４は、端子４８と直接的に繋がったベース後板５２の近傍においても面接触しており、これにより、端子４８からベース後板５２に伝わった熱は、ベース上板５４及びカバー上板６４を経由して確実に接触部４４に伝わる。但し、本発明は、これに限られない。例えば、ベース上板５４とカバー上板６４とは、上下に僅かな隙間をあけて対向していてもよい。
【００６３】
図８及び図９に示されるように、本実施の形態のケージ４０には、２つの補助接触部４５が設けられている。本実施の形態において、２つの補助接触部４５は、２つのカバー側板６８に夫々対応して設けられている。詳しくは、補助接触部４５の夫々は、対応するカバー側板６８の後端部の一部をカバー側板６８から切り離して折り曲げて形成されている。即ち、カバー側板６８の夫々には、金属製の１つの補助接触部４５が設けられている。但し、本発明は、これに限られない。例えば、ケージ側板４２８の夫々がカバー側板６８を含んでいない場合、補助接触部４５の夫々は、ベース側板５８に設けられていてもよい。即ち、補助接触部４５は、ケージ側板４２８に夫々設けられていればよい。また、ケージ側板４２８の夫々における補助接触部４５の数は、２以上であってもよい。一方、ケージ４０には、補助接触部４５が設けられていなくてもよい。
【００６４】
本実施の形態において、補助接触部４５は、互いに同じ形状を有している。詳しくは、補助接触部４５の夫々は、補助バネ部４５６と、２つの補助接点部４５８とを有している。補助接触部４５の夫々において、補助バネ部４５６は、カバー側板６８からＹ方向外側及び後方に向かって延びている。補助接触部４５の夫々において、補助接点部４５８の夫々は、補助接触部４５の後端近傍に位置しており、補助バネ部４５６に支持されている。補助接触部４５の夫々において、補助バネ部４５６は、弾性変形可能であり、補助接点部４５８は、補助バネ部４５６の弾性変形に応じてＹ方向に移動可能である。本実施の形態の補助接触部４５は、上述の構造を有している。但し、本発明は、これに限られず、補助接触部４５の構造は、様々に変形可能である。例えば、補助接触部４５の夫々は、１つの補助接点部４５８を有していてもよい。
【００６５】
図８及び図９に示されるように、本実施の形態のケージ４０には、７つの補助端子４９が設けられている。補助端子４９の夫々は、ケージ側板４２８から下方に延びている。本実施の形態において、補助端子４９の夫々は、ベース側板５８の一部を下方に延ばして形成されている。即ち、ベース側板５８の夫々には、金属製の複数の補助端子４９が設けられている。但し、本発明は、これに限られない。例えば、補助端子４９の夫々は、ケージ４０と別体に形成された部材であってもよい。この場合、補助端子４９の夫々は、ケージ４０に固定されていてもよい。
【００６６】
図２を参照すると、本実施の形態によれば、ケージ４０を基板８２に搭載した後にシェル３０を筐体８０に取り付けると、シェル３０の張出部３６２は、Ｙ方向において、ケージ側板４２８の夫々から僅かに離れて、ケージ側板４２８の夫々のＹ方向外側に位置する。この配置により、ケージ４０を基板８２に搭載し、且つ、シェル３０を筐体８０に取り付けたとき（即ち、被取付状態において）、補助接触部４５の夫々において、補助バネ部４５６は、補助接点部４５８を張出部３６２（シェル３０）に押し付ける。
【００６７】
上述の構造により、補助接触部４５は、端子４８及び補助端子４９と共に、基板８２に生じた熱をシェル３０に伝える補助部として機能する。但し、図１２を参照すると、カバー側板６８の夫々は、対応するベース側板５８の夫々からＹ方向外側に離れている。また、補助端子４９の夫々は、ベース側板５８と直接的に繋がっており、補助接触部４５の夫々は、カバー側板６８と直接的に繋がっている。この構造により、補助接触部４５を経由して基板８２からシェル３０に熱を伝える熱伝導効率は、接触部４４を経由して基板８２からシェル３０に熱を伝える熱伝導効率に比べて低い。加えて、図１８を参照すると、補助端子４９は、端子４８に比べて、熱源から離れており、補助端子４９に伝わる熱は比較的小さい。従って、基板８２からシェル３０に熱を効果的に伝えるという観点からは、補助端子４９及び補助接触部４５は、設けなくてもよい。
【００６８】
図１０から図１３までを参照すると、本実施の形態のケージ４０には、２つの付加的接触部４６が設けられている。本実施の形態において、２つの付加的接触部４６は、２つのケージ側板４２８に夫々対応して設けられている。詳しくは、付加的接触部４６の夫々は、対応するケージ側板４２８に含まれるベース側板５８の後縁を後方に延ばし且つ前方に折り曲げて形成されている。即ち、ベース側板５８の夫々には、金属製の付加的接触部４６が設けられている。但し、本発明は、これに限られない。例えば、付加的接触部４６の夫々は、ベース上板５４に設けられていてもよい。即ち、付加的接触部４６の夫々は、ケージ上板４２４及びケージ側板４２８のうちの少なくとも１つに設けられていてもよい。また、ケージ側板４２８の夫々における付加的接触部４６の数は、１以上であってもよい。一方、ケージ４０には、付加的接触部４６が設けられていなくてもよい。
【００６９】
本実施の形態において、付加的接触部４６は、互いに同じ形状を有している。詳しくは、付加的接触部４６の夫々は、境界部４６２と、曲部４６４と、付加的バネ部４６６と、付加的接点部４６８とを有している。
【００７０】
図１０、図１４及び図１５を参照すると、本実施の形態において、境界部４６２の夫々は、ベース側板５８の後縁の一部であり、曲部４６４とベース側板５８との間の境界に位置している。換言すれば、境界部４６２の夫々は、ベース側板５８の後縁に位置している。曲部４６４の夫々は、境界部４６２から延びている。即ち、曲部４６４の夫々は、ベース側板５８と直接的に繋がっている。但し、本発明は、これに限られない。例えば、付加的接触部４６の夫々がベース上板５４に設けられている場合、境界部４６２の夫々は、ベース上板５４の後縁に位置していてもよい。この場合、曲部４６４の夫々は、ベース上板５４と直接的に繋がっている。
【００７１】
図１１を参照すると、本実施の形態の曲部４６４の夫々は、ＸＹ平面において、後方に向かって張り出した弧形状を有しており、これにより、曲部４６４の夫々の後端は、ベース後板５２に近接している。付加的接触部４６の夫々において、付加的バネ部４６６は、曲部４６４から前方及びケージ４０の内側に向かって延びている。付加的接触部４６の夫々において、付加的接点部４６８は、付加的接触部４６の前端近傍に位置しており、付加的バネ部４６６に支持されている。付加的接触部４６の夫々において、付加的バネ部４６６は、弾性変形可能であり、付加的接点部４６８は、付加的バネ部４６６の弾性変形に応じてＸ方向に移動可能である。
【００７２】
プラグ７０がレセプタクル２０と嵌合する際、プラグ７０の内部モジュール１２は、ケージ４０の受容空間４１の内部に挿入され、付加的接触部４６の付加的接点部４６８と突き当たる。内部モジュール１２は、付加的バネ部４６６を弾性変形させて付加的接点部４６８を後方に移動させつつ、受容空間４１の内部に受容される。この結果、付加的バネ部４６６は、嵌合状態において、付加的接点部４６８を内部モジュール１２に押し付ける。即ち、本実施の形態の付加的接触部４６は、キックアウトばねであり、内部モジュール１２を後方に向かって押すための構造を有している。但し、本発明は、これに限られない。例えば、付加的接触部４６は、必要に応じて設ければよく、用途に応じた構造を有していればよい。
【００７３】
図１８を参照すると、本実施の形態によれば、嵌合状態において、内部モジュール１２は、ケージ４０の付加的接触部４６の付加的接点部４６８と接触している。この構造によれば、基板８２からケージ４０に伝わった熱が、付加的接触部４６を経由して内部モジュール１２に伝わる恐れがある。
【００７４】
一方、図１３を参照すると、本実施の形態によれば、端子４８に伝わった熱は、ケージ４０を形成する金属板に沿った経路Ｐ１及び経路Ｐ２を夫々通って、接触部４４の接点部４４８及び付加的接触部４６の付加的接点部４６８に夫々伝わる。経路Ｐ１は、端子４８と接触部４４の接点部４４８との間の連続した経路である。本実施の形態の経路Ｐ１は、端子４８から、ケージ後板４２２（ベース後板５２）、ケージ上板４２４（ベース上板５４及びカバー上板６４）及び接触部４４のバネ部４４６を順次経由して接点部４４８に至る。一方、経路Ｐ２は、端子４８と付加的接触部４６の付加的接点部４６８との間の連続した経路である。経路Ｐ２は、端子４８から、ケージ後板４２２（ベース後板５２）、ケージ上板４２４（ベース上板５４）、ケージ側板４２８（ベース側板５８）及び付加的接触部４６の付加的バネ部４６６を順次経由して付加的接点部４６８に至る。
【００７５】
図１３を参照すると、端子４８と接触部４４の接点部４４８との間のケージ４０を形成する金属板に沿った経路距離ＤＰ１（上述した経路Ｐ１の長さ）は、端子４８と付加的接点部４６８との間のケージ４０を形成する金属板に沿った経路距離ＤＰ２（上述した経路Ｐ２の長さ）よりも短い。この構造により、ケージ４０に伝わった熱の殆どは、接触部４４に伝わる。図１８を参照すると、本実施の形態によれば、付加的接触部４６が設けられている場合でも、筐体８０への高い放熱効果が得られ、これにより、内部モジュール１２の不安定な動作や破損を防止できる。
【００７６】
図１３を参照すると、本実施の形態において、ケージ後板４２２と直接的に繋がったケージ上板４２４には、接触部４４が設けられている。一方、接触部４４が設けられていないケージ側板４２８には、付加的接触部４６が設けられている。図１０を参照すると、付加的接触部４６が設けられた包囲板４２であるケージ側板４２８は、曲部４６４と包囲板４２との間の境界部４６２の後方においてケージ後板４２２から離れており、ケージ後板４２２と繋がっていない。即ち、ケージ側板４２８は、ケージ後板４２２と直接的に繋がっていない。図１１を参照すると、この構造によれば、端子４８が設けられたケージ後板４２２と内部モジュール１２との間の熱伝導経路が長くなる。図１８を参照すると、この結果、基板８２から筐体８０に熱が伝わり易くなり、これにより筐体８０への放熱効果が高まる。この熱伝導経路の長さの違いによる筐体８０への放熱効果は、熱解析シミュレーションによって確認済みである。
【００７７】
付加的接触部４６が設けられている場合にも、基板８２から筐体８０に熱を伝え易くするという観点から、接触部４４及び付加的接触部４６の配置は、本実施の形態に限られない。
【００７８】
例えば、図１３を参照すると、接触部４４は、ケージ後板４２２に設けられていてもよい。即ち、接触部４４は、ケージ後板４２２およびケージ後板４２２と直接的に繋がった包囲板４２のうちの少なくとも１つに設けられていればよい。一方、付加的接触部４６は、ケージ上板４２４及びケージ側板４２８のうちの少なくとも１つであって接触部４４が設けられていない包囲板４２に設けられていればよい。付加的接触部４６がいずれの包囲板４２に設けられている場合も、付加的接触部４６の曲部４６４は、包囲板４２と直接的に繋がっていてもよい。図１１を参照すると、補助接触部４５は、付加的接触部４６が設けられた包囲板４２に設けられていてもよい。図１０を参照すると、付加的接触部４６が設けられた包囲板４２は、曲部４６４と包囲板４２との間の境界部４６２の後方においてケージ後板４２２から離れていることが好ましい。
【００７９】
図１を参照すると、本実施の形態によるコネクタ組立体１０及びレセプタクル２０は、既に説明した様々な変形に加えて、更に様々に変形可能である。以下、コネクタ組立体１０及びレセプタクル２０の変形例について、コネクタ組立体１０及びレセプタクル２０との相違点を中心に説明する。
【００８０】
図１９を参照すると、コネクタ組立体１０（図１参照）の変形例によるコネクタ組立体１０Ａは、互いに嵌合可能なプラグ７０とレセプタクル２０Ａとを備えている。プラグ７０は、コネクタ組立体１０のプラグ７０であり、内部モジュール１２（図４参照）を備えている。即ち、コネクタ組立体１０Ａには、内部モジュール１２が収められている。
【００８１】
図２０を参照すると、レセプタクル２０Ａは、コネクタ組立体１０（図１参照）のレセプタクル２０（図１参照）と異なる構造を有している。より具体的には、レセプタクル２０Ａは、レセプタクル２０と同じシェル３０と、レセプタクル２０のケージ４０（図１参照）と異なる、金属板からなるケージ４０Ａとを備えている。シェル３０は、金属製の筐体８０に取付可能であり、ケージ４０Ａは、筐体８０の内部に配置された基板８２に搭載可能である。
【００８２】
図２２から図２４までを参照すると、ケージ４０Ａは、受容空間４１と、複数の包囲板４２とを有している。受容空間４１は、前後方向（Ｘ方向）におけるケージ４０Ａの前端４０Ｆにおいて開口しており、且つ、プラグ７０（図１９参照）とレセプタクル２０Ａとが互いに嵌合した嵌合状態において、内部モジュール１２（図４参照）を受容する。
【００８３】
包囲板４２は、ケージ後板４２２Ａと、ケージ上板４２４Ａと、ケージ下板４２６Ａと、２つのケージ側板４２８Ａとを含んでいる。ケージ後板４２２Ａは、Ｘ方向において受容空間４１の後方に位置している。ケージ上板４２４Ａは、上下方向（Ｚ方向）において受容空間４１の上方に位置しており、ケージ下板４２６Ａは、Ｚ方向において受容空間４１の下方に位置している。２つのケージ側板４２８Ａは、横方向（Ｙ方向）において受容空間４１の両側に夫々位置している。
【００８４】
図２１から図２５までを参照すると、本変形例のケージ４０Ａは、ケージ４０（図８参照）のベース５０及びカバー６０と夫々異なるベース５０Ａ及びカバー６０Ａを備えている。ベース５０Ａ及びカバー６０Ａの夫々は、曲げを有する１枚の金属板である。
【００８５】
詳しくは、ベース５０Ａは、ベース後板５２Ａと、ベース上板５４Ａと、ベース下板５６Ａと、２つのベース側板５８Ａとを有している。ベース５０Ａは、ベース下板５６Ａとベース側板５８Ａの夫々との間、ベース上板５４Ａとベース側板５８Ａの夫々との間、及び、ベース上板５４Ａとベース後板５２Ａとの間の５か所において折り曲げられており、ベース下板５６Ａにおいてかしめられている。カバー６０Ａは、カバー上板６４Ａと、２つのカバー側板６８Ａとを有している。カバー６０は、カバー上板６４Ａとカバー側板６８Ａの夫々との間の２か所において折り曲げられている。
【００８６】
図２１を参照すると、カバー上板６４Ａには、ケージ４０（図８参照）と同じ６つの接触部４４が設けられている。カバー側板６８Ａの夫々には、ケージ４０の補助接触部４５（図８参照）と異なる２つの補助接触部４５Ａが設けられている。補助接触部４５Ａの夫々は、補助バネ部４５６Ａと、補助接点部４５８Ａとを有している。補助バネ部４５６Ａの夫々は、カバー側板６８Ａと直接的に（図８参照）繋がっており、弾性変形可能である。補助接点部４５８Ａの夫々は、補助バネ部４５６Ａに支持されており、Ｙ方向に移動可能である。
【００８７】
本変形例において、ベース上板５４Ａの固定突起５９は、カバー上板６４Ａの固定孔６９に夫々挿入されて固定されている。この結果、カバー上板６４Ａは、ベース上板５４Ａに取り付けられて、ベース上板５４Ａと共にケージ上板４２４Ａを形成している。カバー側板６８Ａの夫々は、対応するベース側板５８ＡのＹ方向外側に位置しており、対応するベース側板５８Ａと共にケージ側板４２８Ａを形成している。ケージ後板４２２Ａは、ベース後板５２Ａを含んでいる。図２２を参照すると、ケージ下板４２６Ａは、ベース下板５６Ａを含んでいる。
【００８８】
図２１及び図２２を参照すると、ケージ４０Ａには、金属製の３つの端子４８が設けられている。端子４８の夫々は、ケージ後板４２２Ａから下方に延びている。図２１を参照すると、ケージ４０Ａには、金属製の６つの接触部４４が設けられている。接触部４４の夫々は、Ｘ方向において、ケージ４０Ａの前端４０Ｆよりもケージ後板４２２Ａに近い位置にある。接触部４４の夫々は、バネ部４４６と、接点部４４８とを有している。図１９及び図２０を参照すると、ケージ４０Ａを基板８２に搭載し、且つ、シェル３０を筐体８０に取り付けたとき、シェル３０は、ケージ４０Ａを覆い、端子４８の夫々は、基板８２に固定される。図２４を参照すると、このとき、接触部４４のバネ部４４６の夫々は、接点部４４８をシェル３０に押し付ける。
【００８９】
図１９を参照すると、本変形例によれば、前述した実施の形態と同様に、基板８２に生じた熱は、金属製の端子４８と、金属板からなるケージ４０Ａと、金属製の接触部４４（図２４参照）とを経由して、大熱容量のシェル３０及び筐体８０に伝わる。即ち、熱を基板８２から筐体８０まで効果的に伝える熱伝導経路が形成されている。
【００９０】
一方、図２２から図２５までを図１１と比べると、本変形例のケージ４０Ａには、嵌合状態において内部モジュール１２と接触する付加的接触部４６が設けられていない。本変形例によれば、内部モジュール１２（図１１参照）は、前述した実施の形態と比べても、熱によって影響され難い。図２３を参照すると、本変形例において、ベース後板５２ＡのＹ方向外側の２つの側縁は、２つのベース側板５８Ａから夫々離れている。但し、本変形例によれば、仮に、ベース後板５２Ａの側縁がベース側板５８Ａと接触していたとしても、内部モジュール１２（図１１参照）は、熱によって影響され難い。
【００９１】
図２６を参照すると、図示したケージ４０Ｂは、ケージ４０Ａ（図２３参照）の変形例である。ケージ４０Ｂには、金属製の２つの付加的接触部４６Ｂが設けられている。詳しくは、ケージ４０Ｂは、２つの付加的接触部４６Ｂが夫々設けられた２つのケージ側板４２８Ｂを有している。この相違点を除き、ケージ４０Ｂは、ケージ４０Ａと同じ構造を有している。例えば、ケージ４０Ｂの接触部４４は、包囲板４２のうちの少なくとも１つに設けられている。
【００９２】
本変形例のケージ４０Ｂは、ケージ４０Ａ（図２３参照）のベース５０Ａと異なるベース５０Ｂと、ケージ４０Ａと同じカバー６０Ａとを備えている。ベース５０Ｂは、２つのベース側板５８Ｂを有している。ベース側板５８Ｂの夫々には、付加的接触部４６Ｂが設けられている。換言すれば、付加的接触部４６Ｂの夫々は、ケージ側板４２８Ｂのベース側板５８Ｂに設けられている。本変形例において、付加的接触部４６Ｂの夫々は、ベース側板５８Ｂの前縁を前方に延ばし且つ後方に折り曲げて形成されている。但し、本発明は、これに限られず、付加的接触部４６Ｂの夫々は、様々な方法で形成可能である。また、付加的接触部４６Ｂの夫々は、ケージ上板４２４Ａ及びケージ側板４２８Ｂのうちの少なくとも１つに設けられていればよい。
【００９３】
付加的接触部４６Ｂの夫々は、曲部４６４Ｂと、付加的バネ部４６６Ｂと、付加的接点部４６８Ｂとを有している。曲部４６４Ｂの夫々は、包囲板４２（ケージ側板４２８Ｂのベース側板５８Ｂ）と直接的に繋がっている。曲部４６４Ｂの夫々と包囲板４２との間には、境界部４６２Ｂが形成されている。付加的バネ部４６６Ｂの夫々は、曲部４６４Ｂから後方及びケージ４０Ｂの内側に向かって延びており、弾性変形可能である。付加的接点部４６８Ｂの夫々は、付加的バネ部４６６Ｂに支持されており、Ｙ方向に移動可能である。付加的バネ部４６６Ｂの夫々は、嵌合状態において、付加的接点部４６８Ｂを内部モジュール１２に押し付ける。
【００９４】
ケージ後板４２２Ａと境界部４６２Ｂの夫々との間のＸ方向における距離は、ケージ後板４２２Ａと付加的接点部４６８Ｂの夫々との間のＸ方向における距離よりも長い。即ち、境界部４６２Ｂの夫々は、ケージ後板４２２Ａから遠く離れている。この配置によれば、付加的接触部４６Ｂが設けられている場合にも、内部モジュール１２は、熱によって影響され難い。
【００９５】
図２７から図３０までを参照すると、図示したレセプタクル２０Ｃは、レセプタクル２０（図１参照）の変形例である。レセプタクル２０Ｃは、互いに嵌合可能なプラグ（図示せず）とレセプタクル２０Ｃとを備えたコネクタ組立体（図示せず）におけるレセプタクル２０Ｃである。
【００９６】
図２８及び図３０を参照すると、レセプタクル２０Ｃは、内部モジュール１２と、内部コネクタ２２と、金属製の筐体８０Ｃに取付可能な金属製のシェル３０Ｃと、筐体８０Ｃの内部に配置された基板８２Ｃに搭載可能な、金属板からなるケージ４０Ｃとを備えている。本変形例において、内部モジュール１２は、レセプタクル２０Ｃの内部に収められている。換言すれば、本変形例によるコネクタ組立体（図示せず）には、レセプタクル２０Ｃに組み込まれた内部モジュール１２が収められている。
【００９７】
図２７及び図２８を参照すると、シェル３０Ｃは、環状部３２Ｃと、鍔部３４Ｃと、覆い部３６Ｃとを有している。環状部３２Ｃは、シェル３０Ｃの前端部に位置している。鍔部３４Ｃは、環状部３２Ｃの後方に位置している。覆い部３６Ｃは、鍔部３４Ｃから後方に向かって延びている。鍔部３４Ｃは、レセプタクル２０Ｃの使用時に、筐体８０Ｃに取り付けられて、筐体８０Ｃと面接触する。このとき、覆い部３６Ｃは、筐体８０Ｃの通過孔８０２Ｃを通過して後方に向かって延びる。
【００９８】
図２８及び図３０を参照すると、本変形例のケージ４０Ｃは、曲げを有する１枚の金属板であり、受容空間４１Ｃと、複数の包囲板４２Ｃとを有している。図３０を参照すると、受容空間４１Ｃは、前後方向（Ｘ方向）におけるケージ４０Ｃの前端４０Ｆにおいて開口している。本変形例において、内部モジュール１２は、受容空間４１Ｃの内部に位置している。従って、受容空間４１Ｃは、プラグ（図示せず）とレセプタクル２０Ｃとが互いに嵌合した嵌合状態においても、内部モジュール１２を受容する。
【００９９】
図２８及び図３０を参照すると、包囲板４２Ｃは、ケージ後板４２２Ｃと、ケージ上板４２４Ｃと、２つのケージ側板４２８Ｃとを含んでいる。ケージ後板４２２Ｃは、Ｘ方向において受容空間４１Ｃの後方に位置している。ケージ上板４２４Ｃは、上下方向（Ｚ方向）において受容空間４１Ｃの上方に位置している。２つのケージ側板４２８Ｃは、横方向（Ｙ方向）において受容空間４１Ｃの両側に夫々位置している。
【０１００】
図３０を参照すると、ケージ４０Ｃには、金属製の端子４８と、金属製の接触部４４Ｃとが設けられている。端子４８は、ケージ後板４２２Ｃから下方に延びている。接触部４４Ｃは、Ｘ方向において、ケージ４０Ｃの前端４０Ｆよりもケージ後板４２２Ｃに近い位置にある。接触部４４Ｃは、バネ部４４６Ｃと、接点部４４８Ｃとを有している。ケージ４０Ｃを基板８２Ｃに搭載し、且つ、シェル３０Ｃを筐体８０Ｃに取り付けたとき、シェル３０Ｃは、ケージ４０Ｃを覆い、端子４８は、基板８２Ｃに固定され、バネ部４４６Ｃは、接点部４４８Ｃをシェル３０Ｃ（覆い部３６Ｃ）に押し付ける。
【０１０１】
本変形例によれば、基板８２Ｃに生じた熱は、金属製の端子４８と、金属板からなるケージ４０Ｃと、金属製の接触部４４Ｃとを経由して、大熱容量のシェル３０Ｃ及び筐体８０Ｃに伝わる。即ち、熱を基板８２Ｃから筐体８０Ｃまで効果的に伝える熱伝導経路が形成されており、これにより、内部モジュール１２への熱の影響を低減できる。
【符号の説明】
【０１０２】
１０，１０Ａ                          コネクタ組立体
１２                                  内部モジュール
１２２                                光電変換部
２０，２０Ａ，２０Ｃ                  レセプタクル
２２                                  内部コネクタ
３０，３０Ｃ                          シェル
３２，３２Ｃ                          環状部
３４，３４Ｃ                          鍔部
３４２                                取付孔
３６，３６Ｃ                          覆い部
３６２                                張出部
３８                                  プラグ受容空間
４０，４０Ａ，４０Ｂ，４０Ｃ          ケージ
４０Ｆ                                前端
４１，４１Ｃ                          受容空間
４２，４２Ｃ                          包囲板
４２２，４２２Ａ，４２２Ｃ            ケージ後板
４２４，４２４Ａ，４２４Ｃ            ケージ上板
４２６，４２６Ａ                      ケージ下板
４２８，４２８Ａ，４２８Ｂ，４２８Ｃ  ケージ側板
４４，４４Ｃ                          接触部
４４Ｓ                                接触対
４４２                                起点部
４４６，４４６Ｃ                      バネ部
４４８，４４８Ｃ                      接点部
４５，４５Ａ                          補助接触部
４５６，４５６Ａ                      補助バネ部
４５８，４５８Ａ                      補助接点部
４６，４６Ｂ                          付加的接触部
４６２，４６２Ｂ                      境界部
４６４，４６４Ｂ                      曲部
４６６，４６６Ｂ                      付加的バネ部
４６８，４６８Ｂ                      付加的接点部
４８                                  端子
４９                                  補助端子
５０，５０Ａ，５０Ｂ                  ベース
５２，５２Ａ                          ベース後板
５４，５４Ａ                          ベース上板
５６，５６Ａ                          ベース下板
５８，５８Ａ，５８Ｂ                  ベース側板
５９                                  固定突起
５９２                                係合突起
６０，６０Ａ                          カバー
６４，６４Ａ                          カバー上板
６８，６８Ａ                          カバー側板
６９                                  固定孔
６９２                                係合孔
７０                                  プラグ
７２                                  主部
７８                                  嵌合部
８０，８０Ｃ                          筐体
８０２，８０２Ｃ                      通過孔
８０８                                ネジ孔
８２，８２Ｃ                          基板
８４                                  Ｏリング
８６                                  固定ネジ
８８                                  ケーブル
【図１】
2020170660.tif 000003
【図２】
2020170660.tif 000004
【図３】
2020170660.tif 000005
【図４】
2020170660.tif 000006
【図５】
2020170660.tif 000007
【図６】
2020170660.tif 000008
【図７】
2020170660.tif 000009
【図８】
2020170660.tif 000010
【図９】
2020170660.tif 000011
【図１０】
2020170660.tif 000012
【図１１】
2020170660.tif 000013
【図１２】
2020170660.tif 000014
【図１３】
2020170660.tif 000015
【図１４】
2020170660.tif 000016
【図１５】
2020170660.tif 000017
【図１６】
2020170660.tif 000018
【図１７】
2020170660.tif 000019
【図１８】
2020170660.tif 000020
【図１９】
2020170660.tif 000021
【図２０】
2020170660.tif 000022
【図２１】
2020170660.tif 000023
【図２２】
2020170660.tif 000024
【図２３】
2020170660.tif 000025
【図２４】
2020170660.tif 000026
【図２５】
2020170660.tif 000027
【図２６】
2020170660.tif 000028
【図２７】
2020170660.tif 000029
【図２８】
2020170660.tif 000030
【図２９】
2020170660.tif 000031
【図３０】
2020170660.tif 000032
【図３１】
2020170660.tif 000033
【図３２】
2020170660.tif 000034